(57)【要約】【課題】上部から下部に向かって手を挿入し、濡れた手を乾燥させる手乾燥装置において、指先まで確実に検知して適切な挿入位置に対する現在の到達度を表示する手乾燥装置を提供することを目的とする。【解決手段】手乾燥装置本体１に上部から下部にかけて配置された複数の手検知センサ５と適切な挿入位置に対する現在の到達度を表示する表示手段６を設け、上部のセンサに比べて下部のセンサの感度を高くするという構成にしたことにより、指先位置に対応させて手が挿入される様子を表示させることができる手乾燥装置を得られる。【選択図】図２
2013042911.tif 000002
【特許請求の範囲】
【請求項１】
上面から手を挿入できる手挿入部と、前記手挿入部に送風する送風手段を有する箱体の本体と、前記本体には、手の挿入されている深さを検知できるよう、前記手挿入部の上部から下部にかけて配置された複数個の手検知センサと、あらかじめ設定した手の適切な挿入位置に対する到達度を表示する表示手段と、前記手検知センサの信号をもとに手を検知し、前記検知結果に応じて前記送風手段の運転と前記表示手段の表示を制御する制御手段を備え、前記制御手段には、前記複数の手検知センサの信号に対してそれぞれ手検知の有無を判定する手検知手段と、前記手の適切な挿入位置と前記手検知手段の判定情報をもとに前記手の適切な挿入位置に対する現在の到達度を判定し前記表示手段を制御する到達度判定手段を備え、前記手検知手段は、前記手検知センサのうち、上部に配置された手検知センサと下部に配置された手検知センサに対して、センサ感度を上部では低く、下部では高くなるよう検知感度を設定するという構成を有する手乾燥装置。
【請求項２】
手検知手段は、手検知センサの信号を一定間隔で読み取って、一回または複数回の判定回数連続でセンサ入力があった場合に手検知ありと判断するものであり、上部の手検知センサに比べて下部の手検知センサの判定回数を少なくすることにより、センサ感度を高く設定するという構成を有する、請求項１に記載の手乾燥装置。
【請求項３】
手検知手段は、手検知センサごとに定めた読み取り間隔で信号を読み取って、複数回の判定回数連続でセンサ入力があった場合に手検知ありと判断するものであり、上部の手検知センサに比べて下部の手検知センサの読み取り間隔を短くすることにより、センサ感度を高く設定するという構成を有する、請求項１に記載の手乾燥装置。
【請求項４】
表示手段は複数のＬＥＤを一方向に並べて配置し、到達度判定手段は、あらかじめ設定した手の適切な挿入位置に対する現在の手の到達度を点灯しているＬＥＤの個数で表示するという構成を有する、請求項１に記載の手乾燥装置。
【請求項５】
手検知センサに加えて身長検知センサを備え、制御手段には身長検知センサの信号をもとにユーザの身長を検知する身長検知手段を備え、前記身長検知手段で検知した身長に対応させて手の大きさを推定して前記手の適切な挿入位置をあらかじめ決定し、到達度判定手段は、前記決定した手の適切な挿入位置に使用者の指先が到達したときにすべてのＬＥＤが点灯するようにするとともに、前記決定した手の適切な挿入位置と手検知手段からの判定情報を用いて手の到達度を判定して表示手段で点灯させるＬＥＤの個数を決定するという構成を有する、請求項１に記載の手乾燥装置。
【発明の詳細な説明】
【技術分野】
【０００１】
本発明は、洗浄後の濡れた手に風を当てて乾燥させる手乾燥装置に関するものである。
【背景技術】
【０００２】
従来、この種の手乾燥装置は、正面または上面に開口部があり、上から下に向かって手を挿入して乾燥させるものが知られている（例えば、特許文献１参照）。
【先行技術文献】
【特許文献】
【０００３】
【特許文献１】特許第２７１８３３１号公報
【発明の概要】
【発明が解決しようとする課題】
【０００４】
このような従来の手乾燥装置において、ユーザに手挿入部の奥まで手を挿入するよう表示手段により誘導し、効率良く手を乾燥させる手乾燥装置が提案されていたが、ユーザが手をどこまで深く挿入すべきか分かりづらかった。
【０００５】
そこで、現在の手挿入位置を検知し、手の挿入状態を解かり易く表示するには手の適切な挿入位置に対する到達度を表示することが必要であることに考え至った。そして、センサにより手の挿入位置を検出する場合、センサが指の間をすり抜けることにより、指先の部分を検知しにくく、正確に挿入される様子を表示できないという課題を見つけた。
【０００６】
そこで本発明は、上記従来の課題を解決するものであり、指先の到達をいち早く確実に検知し、指先位置に対応させて手が挿入される様子を表示させる手乾燥装置を提供することを目的とする。
【課題を解決するための手段】
【０００７】
そして、この目的を達成するために、本発明は、上面から手を挿入できる手挿入部と、前記手挿入部に送風する送風手段を有する箱体の本体と、前記本体には、手の挿入されている深さを検知できるよう、前記手挿入部の上部から下部にかけて配置された複数個の手検知センサと、あらかじめ設定した手の適切な挿入位置に対する到達度を表示する表示手段と、前記手検知センサの信号をもとに手を検知し、前記検知結果に応じて前記送風手段の運転と前記表示手段の表示を制御する制御手段を備え、前記制御手段には、前記複数の手検知センサの信号に対してそれぞれ手検知の有無を判定する手検知手段と、前記手の適切な挿入位置と前記手検知手段の判定情報をもとに前記手の適切な挿入位置に対する現在の到達度を判定し前記表示手段を制御する到達度判定手段を備え、前記手検知手段は、前記手検知センサのうち、上部に配置された手検知センサと下部に配置された手検知センサに対して、センサ感度を上部では低く、下部では高くなるよう検知感度を設定するという構成を有する手乾燥装置としたものであり、これにより所期の目的を達成するものである。
【発明の効果】
【０００８】
本発明によれば、手挿入部の上部から下部にかけて配置された複数個の手検知センサと、適切な挿入位置に対する現在の到達度を表示する表示手段を設け、上部の手検知センサに比べて下部の手検知センサでは感度を高くするという構成にしたことにより、手検知手段は、上部の手検知センサに対する感度よりも下部の手検知センサに対する感度を高く設定したことで、上部では誤検知を防止して手のひらを確実に検知し、下部では指先の到達をいち早く確実に検知することができ、指先位置に対応させて手が挿入される様子を表示させることができるという効果を奏する。
【図面の簡単な説明】
【０００９】
【図１】本発明の実施の形態１の手乾燥装置の構成を示す側断面図
【図２】同実施の形態１の手乾燥装置の構成を示すブロック図
【図３】同実施の形態１の手乾燥装置の表示手段の表示を示す図（（ａ）手検知なし時の表示の図、（ｂ）到達度１を示す表示の図、（ｃ）到達度２を示す表示の図、（ｄ）到達度３を示す表示の図）
【図４】同実施の形態２の手乾燥装置の構成を示すブロック図
【発明を実施するための形態】
【００１０】
本発明の請求項１記載の手乾燥装置は、上面から手を挿入できる手挿入部と、前記手挿入部に送風する送風手段を有する箱体の本体と、前記本体には、手の挿入されている深さを検知できるよう、前記手挿入部の上部から下部にかけて配置された複数個の手検知センサと、あらかじめ設定した手の適切な挿入位置に対する到達度を表示する表示手段と、前記手検知センサの信号をもとに手を検知し、前記検知結果に応じて前記送風手段の運転と前記表示手段の表示を制御する制御手段を備え、前記制御手段には、前記複数の手検知センサの信号に対してそれぞれ手検知の有無を判定する手検知手段と、前記手の適切な挿入位置と前記手検知手段の判定情報をもとに前記手の適切な挿入位置に対する現在の到達度を判定し前記表示手段を制御する到達度判定手段を備え、前記手検知手段は、前記手検知センサのうち、上部に配置された手検知センサと下部に配置された手検知センサに対して、センサ感度を上部では低く、下部では高くなるよう検知感度を設定するという構成を有する。
【００１１】
これにより、手検知手段は、上部の手検知センサに対する感度よりも下部の手検知センサに対する感度を高く設定したことで、上部では誤検知を防止して手のひらを確実に検知し、下部では指先の到達をいち早く確実に検知し、指先位置に対応させて手が挿入される様子を表示させることができる。
【００１２】
また、請求項２記載の手乾燥装置は、手検知手段は、手検知センサの信号を一定間隔で読み取って、一回または複数回の判定回数連続でセンサ入力があった場合に手検知ありと判断するものであり、上部の手検知センサに比べて下部の手検知センサの判定回数を少なくすることにより、センサ感度を高く設定するという構成を有する。
【００１３】
これにより、手検知手段は、下部では判定回数を少なくすることで、検知しにくい指先の到達をいち早く確実に検知し、指先位置に対応させて手が挿入される様子を表示させることができる。
【００１４】
また、請求項３記載の手乾燥装置は、手検知手段は、手検知センサごとに定めた読み取り間隔で信号を読み取って、複数回の判定回数連続でセンサ入力があった場合に手検知ありと判断するものであり、上部の手検知センサに比べて下部の手検知センサの読み取り間隔を短くすることにより、センサ感度を高く設定するという構成を有する。
【００１５】
これにより、手検知手段は、下部では読み取り間隔を短くすることで、検知しにくい指先の到達をいち早く確実に検知し、指先位置に対応させて手が挿入される様子を表示させることができる。
【００１６】
また、請求項４記載の手乾燥装置は、表示手段は複数のＬＥＤを一方向に並べて配置し、到達度判定手段は、あらかじめ設定した手の適切な挿入位置に対する現在の手の到達度を点灯しているＬＥＤの個数で表示するという構成を有する。
【００１７】
これにより、表示手段は手の到達度を一方向に並べたＬＥＤの点灯個数で表示することとなり、ユーザは手の適切な挿入位置に対する現在の手の到達度を視覚的に知ることができ、手が挿入される様子を分かりやすく表示することができる。
【００１８】
また、請求項５記載の手乾燥装置は、手検知センサに加えて身長検知センサを備え、制御手段には身長検知センサの信号をもとにユーザの身長を検知する身長検知手段を備え、前記身長検知手段で検知した身長に対応させて手の大きさを推定して前記手の適切な挿入位置をあらかじめ決定し、到達度判定手段は、前記決定した手の適切な挿入位置に使用者の指先が到達したときにすべてのＬＥＤが点灯するようにするとともに、前記決定した手の適切な挿入位置と手検知手段からの判定情報を用いて手の到達度を判定して表示手段で点灯させるＬＥＤの個数を決定するという構成を有する。
【００１９】
これにより、身長検知手段は、身長によって推定した手の大きさから手の適切な挿入位置を変更し、到達度判定手段は、前記決定した手の適切な挿入位置に使用者の指先が到達したときにすべてのＬＥＤが点灯するようにするとともに、前記決定した手の適切な挿入位置と手検知手段からの判定情報を用いて手の到達度を判定して表示手段で点灯させるＬＥＤの個数を決定することで、身長に対応させて推定した手の大きさから手の適切な挿入位置を調整し、手の到達度を表示することとなり、ユーザの身長に対応した表示をすることができる。
【００２０】
以下、本発明の実施の形態について図面を参照しながら説明する。
【００２１】
（実施の形態１）
図１は、本発明実施の形態１における手乾燥装置の構成を表す側断面図である。図１に示すように、手乾燥装置本体１は、この手乾燥装置本体１の上面から手を抜き差しできる手挿入部２と、手挿入部２に空気を送る送風手段３と、送風手段３から送られた空気を手挿入部２に送出する吹き出し口４と、手の挿入されている深さを検知できるよう、手挿入部２の上部から下部にかけて配置された複数個の手検知センサ５と、あらかじめ設定した手の適切な挿入位置に対する到達度を表示する表示手段６と、手検知センサ５の信号をもとに手を検知し、前記検知結果に応じて表示手段６の表示と送風手段３の運転を制御する制御手段７を備えている。送風手段３はファンモータであり、ファンモータを回転させることにより、手乾燥装置本体１下部にある吸い込み口８から空気を取り込み、吹き出し口４から空気を送り出すものである。手検知センサ５は、赤外線発光ＬＥＤとその対面に配置した受光素子の対でできており、赤外線発光ＬＥＤの発光に対して受光素子で受光があればセンサ入力なし、受光がなければセンサ入力ありとするものである。表示手段６は複数のＬＥＤ１２を一方向に並べて配置したものであり、あらかじめ設定した手の適切な挿入位置に対する現在の手の到達度を点灯しているＬＥＤ１２の個数で表示する。望ましくは、手検知センサ５の個数とＬＥＤ１２の個数を同数にし、手検知センサ１個に対してＬＥＤ１個が対応するようにしておく。
【００２２】
図２は、本発明実施の形態１における手乾燥装置の構成を表すブロック図である。制御手段７には、複数の手検知センサ５の信号に対してそれぞれ手検知の有無を判定する手検知手段９と、手検知手段９の判定情報をもとに送風手段３の運転を制御する運転制御手段１０と、手の適切な挿入位置と手検知手段９の判定情報をもとに手の適切な挿入位置に対する現在の到達度を判定し、表示手段６を制御する到達度判定手段１１を備えている。手検知手段９は、手検知センサ５のうち、上部に配置された手検知センサ５と下部に配置された手検知センサ５に対して、センサ感度を上部では低く、下部では高くなるよう検知感度を設定する。
【００２３】
このような手乾燥装置において、効率良く手を乾燥させるためには、ユーザが手を手挿入部の奥まで挿入した状態で運転することが望ましい。また、手が奥まで挿入されていない状態で運転した場合、水滴が周囲に飛散してしまうことがある。そのため、従来の手乾燥装置では、手挿入部の上部と下部に手検知センサを設け、下部の手検知センサが反応していない場合は手を奥まで挿入するように誘導する表示を設けていた。しかし、このような従来の手乾燥装置では、ユーザが手をどこまで深く挿入すべきか分かりづらかった。
【００２４】
そこで本実施の形態では、現在の手挿入位置を検知し、手の適切な挿入位置に対する到達度を表示する構成を備え、センサにより手の挿入位置を検出する場合、センサが指の間をすり抜けても、指先の部分を検知して、正確に挿入される様子を表示できるものとした。
【００２５】
すなわち、本実施の形態は、手挿入部の上部から下部にかけて配置された複数個の手検知センサ５と、適切な挿入位置に対する現在の到達度を表示する表示手段６を設け、上部の手検知センサ５に比べて下部の手検知センサ５では感度を高くするという構成を備えたものである。
【００２６】
このような構成とすることにより、上部の手検知センサ５では誤検知を防止して手のひらを確実に検知し、下部の手検知センサ５では指先の到達をいち早く確実に検知することができ、指先位置に対応させて手が挿入される様子を表示させることができる。以下、その詳細な流れについて説明する。
【００２７】
手乾燥装置本体１は、電源が入ると待機状態となり、手検知センサ５のセンシングを開始する。手検知手段９は、手検知センサ５の信号を一定間隔で読み取って手検知の有無を判断する。ユーザにより手挿入部２に手が挿入されるとセンサ入力ありとなり、１回または複数回の判定回数連続でセンサ入力があった場合に手検知ありと判断するものである。このとき、上部の手検知センサ５に比べて下部の手検知センサ５では、判定回数を少なくすることにより、センサ感度を高く設定する。例えば、図１のように手挿入部２の上部から順に３つの手検知センサ５ａ、５ｂ、５ｃを設け、２５ｍｓごとに手検知センサ５の信号を読み取り、手検知センサ５ａでは３回連続でセンサ入力があった場合に手検知センサ５ａの手検知ありと判断し、手検知センサ５ｂ、５ｃでは１回センサ入力があれば手検知ありと判断する。このとき、手検知センサ５ａでは、３回連続でセンサの反応があった場合にのみ手検知ありと判断するため、ノイズの影響を受けにくく、確実に手検知センサ５ａの反応があった場合にのみ手検知のみと判断するため、手がない場合に誤って検知ありとする誤検知を防ぐことができる。また、手検知センサ５ｂ、５ｃでは、センサ入力ありの信号を１回受けると手検知ありと判断するため、指先のように動きやすく、安定してセンサが反応しない場合でも確実に検知することができる。なお、手検知センサ５の感度を変化させる別の方法として、手検知センサ５ａ、５ｂ、５ｃごとに定めた読み取り間隔で信号を読み取って、複数回の判定回数連続でセンサ入力があった場合に手検知ありと判断し、上部の手検知センサに比べて下部の手検知センサの読み取り間隔を短くすることにより、センサ感度を高く設定する構成を用いても良い。
【００２８】
運転制御手段１０は、手検知手段９で手検知ありと判断された場合に送風手段３のモータの運転を開始する。ここで、送風手段３の運転開始のタイミングは、上部の手検知センサ５ａが手検知ありとなった時点で運転を開始することにより、手を挿入してから運転開始までの反応を早くすることができる。ただし、ユーザによっては運転が開始されると手を奥まで挿入するのをやめてしまう場合があるため、本発明のように適切な挿入位置に対する到達度を視覚的に明示することが有効となる。
【００２９】
到達度判定手段１１では、手検知手段９の検知結果をもとに、手の挿入されている位置を判断し、あらかじめ設定した手の適切な挿入位置に対する到達度を判定する。手の挿入されている位置は、手検知センサ５の個数分の段階で判断する。例えば、本実施の形態のように手検知センサ５として、手検知センサ５ａ、５ｂ、５ｃの３つが設けられている場合には、深さを３段階で判断することができる。具体的には、手検知センサ５ａ、５ｂ、５ｃのうち、手検知センサ５ａだけが手検知ありとなっていた場合は深さ１と判断し、手検知センサ５ａと５ｂが手検知ありとなっていた場合は深さ２と判断し、全てのセンサが手検知ありとなっていた場合は深さ３と判断する。ここで、手検知センサ５ａが手検知ありの場合のみ、手検知センサ５ｂ、５ｃの手検知結果を有効とすることにより、センサ感度の高いセンサにおけるノイズによる誤検知の影響を小さくすることができる。到達度判定手段１１では、判断した手の位置の、適切な挿入位置に対する到達度を判定して表示手段６に表示させる。図３のように、表示手段６はＬＥＤ１２を縦に３つ並べて構成され、手検知のない状態では図３（ａ）の表示となり、手検知のある場合は適切な挿入位置に対する到達度を、図３（ｂ）、（ｃ）、（ｄ）の３段階で表示する。前述の例で、手の適切な挿入位置として深さ３が設定されており、現在の手の挿入位置が深さ１と判断された場合は３つのＬＥＤ１２のうちの１つが点灯した状態である図３（ｂ）の表示となり、深さ２と判断された場合は３つのＬＥＤ１２のうちの２つが点灯した状態である図３（ｃ）の表示となり、深さ３と判断された場合は３つのＬＥＤ１２の全てが点灯した状態である図３（ｄ）の表示となるよう、表示手段６の点灯させるＬＥＤ１２の個数を決定する。
【００３０】
以上のように、指先位置に対応させて手が挿入される様子を表示させることができる。
【００３１】
（実施の形態２）
本発明の実施の形態２について図４を参照しながら説明する。なお、図４において、図２と同様の構成要素については同一の符号を付し、その詳細な説明は省略する。図４に示すように、実施の形態２の手乾燥装置の構成は、実施の形態１の手乾燥装置の構成に対して、身長検知センサ１３を設け、制御手段７内に身長検知手段１４を設けた構成とする。
【００３２】
また、本実施の形態では、身長検知手段１４の判断によって手の適切な挿入位置を設定するものである。
【００３３】
身長検知センサ１３は赤外線センサである。手乾燥装置本体１の前側上方に傾けて赤外線センサを設置し、ユーザの身長が所定の高さ以上の場合に赤外線センサに入力が入るように構成しておく。身長検知手段１４では、身長検知センサ１３の入力があった場合にはユーザは大人であると判断し、入力がない場合にはユーザは子供であると判断する。また、検知結果に応じて手の適切な挿入位置を変更する。すなわち、適切な挿入位置として、ユーザが大人の場合は深さ３、ユーザが子供の場合は深さ２と設定する。到達度判定手段１１では、手検知手段９の検知結果と身長検知手段１４で設定された手の適切な挿入位置を用いて、手挿入位置の到達度を判定し、表示手段６で点灯させるＬＥＤ１２の個数を決定する。ユーザが大人の場合は、手の適切な挿入位置として深さ３が設定されるため、前記実施の形態１と同様の手検知状態においては同様の表示となる。ユーザが子供の場合は、手の適切な挿入位置として深さ２が設定されているため、手検知センサ５ａのみ手検知があり深さ１と判断された場合は、適切な挿入位置に対して半分まで到達しているため、表示手段６は３つのＬＥＤ１２のうち１個または２個点灯させた図３（ｂ）または（ｃ）の表示とするが、手検知センサ５ａと５ｂで手検知があり深さ２と判断されると、手の適切な挿入位置に到達していることが分かるよう、図３（ｄ）のように表示手段６のＬＥＤ１２を全て点灯させる。このように、到達度は、手の適切な挿入位置までの深さの段階と、表示手段６のＬＥＤ１２の個数が異なる場合でも、手の適切な挿入位置の深さに対する現在の深さを割合で算出し、点灯させるＬＥＤ１２の個数で表示するものである。
【００３４】
このような構成によれば、身長検知手段１４は、身長によって推定した手の大きさから手の適切な挿入位置を変更し、到達度判定手段は、前記決定した手の適切な挿入位置に使用者の指先が到達したときにすべてのＬＥＤ１２が点灯するようにするとともに、前記決定した手の適切な挿入位置と手検知手段からの判定情報を用いて手の到達度を判定して表示手段で点灯させるＬＥＤ１２の個数を決定することで、身長に対応させて推定した手の大きさから手の適切な挿入位置を調整し、手の到達度を表示することとなり、ユーザの身長に対応した表示をすることができる。
【産業上の利用可能性】
【００３５】
本発明にかかる手乾燥装置は、複数のセンサについて検知感度を変更することによって手を確実に検知して指先位置に対応させて手が挿入される様子を表示させることができるものであり、洗面所やトイレ等で手を洗い、濡れた手を乾燥させる手乾燥装置として有用である。
【符号の説明】
【００３６】
１    手乾燥装置本体
２    手挿入部
３    送風手段
４    吹き出し口
５    手検知センサ
５ａ、５ｂ、５ｃ  手検知センサ
６    表示手段
７    制御手段
８    吸い込み口
９    手検知手段
１０  運転制御手段
１１  到達度判定手段
１２  ＬＥＤ
１３  身長検知センサ
１４  身長検知手段
【図１】
2013042911.tif 000003
【図２】
2013042911.tif 000004
【図３】
2013042911.tif 000005
【図４】
2013042911.tif 000006